(57)【要約】【課題】本発明は制御変数法に基づく漢方薬培養装置を開示した。【解決手段】ケースを含み、前記ケースの左右側面には培養箱が対称的にスライドできるように連結され、前記培養箱の下側面には台座が固定的に設置され、前記ケースの中には三つの液体加えパイプが設置され、前記液体加えパイプの左側が上方へ伸びて外部空間と連通しており、前記ケースの中には前記液体加えパイプと連通しているスライド板空間が設置され、本装置は制御変数法に基づき、異なる栄養液又は水を加えて漢方薬を培養することによって、異なる栄養液は漢方薬に与える作用を観察でき、同時にライトをつける又は消すことによって、灯光は漢方薬の成長に与える作用も観察できる。【選択図】図１
2020182439.tif 000002
【特許請求の範囲】
【請求項１】
正面視で、ケースを含み、前記ケースの左右側面には培養箱が対称的にスライドできるように連結され、前記培養箱の下側面には台座が固定的に設置され、前記ケースの中には三つの液体加えパイプが設置され、前記液体加えパイプの左側が上方へ伸びて外部空間と連通しており、前記ケースの中には前記液体加えパイプと連通しているスライド板空間が設置され、前記スライド板空間の上側壁には外部空間と連通している引き動かし空間が設置され、前記スライド板空間と前記引き動かし空間との間には前記液体加えパイプを開けることができる液体注ぎ装置が設置され、前記液体加えパイプの中にはそれぞれウォーターポンプが設置され、前記ウォーターポンプの右側には連結パイプが連結され、前記連結パイプの左側壁には伸縮できる伸縮ホースが連結され、前記伸縮ホースの左側には収納空間が設置され、前記収納空間の右側壁には第二モーターが固定的に設置され、前記第二モーターの左側には前記収納空間の左側壁と回転できるように連結されたモーター親ねじが連結され、前記モーター親ねじにはねじ山ブロックがねじ山によって連結され、前記ねじ山ブロックの中には前記伸縮ホースと連結された移動パイプが回転できるように連結され、前記移動パイプが前記伸縮ホースと固定的に連結され、前記移動パイプの中には前記伸縮ホースと連通している散布空間が設置され、前記散布空間の下側壁には水が出ることができるノズルが設置され、前記移動パイプの外周にはまた第一ギヤが固定的に設置されたことを特徴とする制御変数法に基づく漢方薬培養装置。
【請求項２】
前記収納空間の下側壁には小穴が設置され、前記小穴の下側壁には駆動チャンバが設置され、前記駆動チャンバの中には前記移動パイプを駆動できる駆動装置が設置され、前記ケースの中には中空軸が回転できるように連結され、前記中空軸の下側が前記台座の上側面と回転できるように連結され、前記中空軸の中には前記ケースを駆動して回転させることができる回転装置が設置され、前記培養箱の中にはそれぞれ前記収納空間と連通できる連通空間が設置され、前記連通空間の片側側壁には置き空間が連通しており、前記置き空間の中には漢方薬を培養できる培養装置が設置されたことを特徴とする請求項１に記載の制御変数法に基づく漢方薬培養装置。
【請求項３】
前記ケースの外周には環状空間が上下に対称的に設置され、前記環状空間の中には前記培養箱と固定的に連結されたＴ型スライドブロックが左右対称的にスライドできるように連結されたことを特徴とする請求項１に記載の制御変数法に基づく漢方薬培養装置。
【請求項４】
前記液体注ぎ装置は止め板と、大ばねと、引き動かしブロックとによって構成され、前記止めいたが前記スライド空間とスライドできるように連結され、前記止め板は三つの前記液体加えパイプを閉鎖でき、前記止め板と前記スライド板空間との間には大ばねが連結され、前記止め板の上側面には前記引き動かし空間とスライドできるように連結された引き動かしブロックが固定的に設置されたことを特徴とする請求項１に記載の制御変数法に基づく漢方薬培養装置。
【請求項５】
前記駆動装置は第一モーターと、動力軸と、第二ギヤと、第一ベベルギヤとを含み、前記第一モーターが前記駆動チャンバの右側壁と固定的に連結され、前記第一モーターの左側には動力軸が連結され、前記動力軸の左側には前記第一ギヤと噛み合うことができる第二ギヤが固定され、前記動力軸の中端には第一ベベルギヤが固定的に設置されたことを特徴とする請求項１に記載の制御変数法に基づく漢方薬培養装置。
【請求項６】
前記回転装置は縦軸と、電磁空間と、第一電磁石と、第二電磁石と、電磁ばねと、第二ベベルギヤとを含み、前記縦軸が前記中空軸とスライドできるように連結され、前記縦軸の左側には電磁空間が設置され、前記電磁空間の下側には前記縦軸と固定的に連結された第一電磁石がスライドできるように連結され、前記電磁空間の上側壁には第二電磁石が固定的に連結され、前記第二電磁石と前記第一電磁石との間には電磁ばねが連結され、前記縦軸の上側には前記第一ベベルギヤと噛み合うことができる第二ベベルギヤが固定的に設置されたことを特徴とする請求項１に記載の制御変数法に基づく漢方薬培養装置。
【請求項７】
前記培養装置は引き動かし板と、位置制限空間と、位置制限ブロックと、換気空間とを含み、前記引き動かし板が前記貯蔵空間とスライドできるように連結され、前記置き空間の下側壁には位置制限空間が設置され、前記位置制限空間の中には前記引き動かし板と固定的に連結された位置制限ブロックがスライドできるように連結され、前記置き空間の上側壁には換気できる換気空間が左右対称的に設置されたことを特徴とする請求項１に記載の制御変数法に基づく漢方薬培養装置。
【請求項８】
前記置き空間の上側壁には電球が固定的に設置され、それによって漢方薬を照明する時に前記電球をつけることができることを特徴とする請求項２に記載の制御変数法に基づく漢方薬培養装置。
【請求項９】
前記台座の下側面の前後左右には移動できる四つの輪が設置され、装置を移動する時に前記ケースを推し動かせばよいことを特徴とする請求項１に記載の制御変数法に基づく漢方薬培養装置。
【発明の詳細な説明】
【技術分野】
【０００１】
本発明は薬品研究分野に関わり、具体的には制御変数法に基づく漢方薬培養装置である。
【背景技術】
【０００２】
目下、漢方薬の培養は比較的に古く、漢方薬の成長環境について系統的な研究がなく、科学的な方法によって異なる条件の下で、日差しと、水と、栄養液とが漢方薬の成長を促進するか又は抑制するかことを観察できない。
【先行技術文献】
【特許文献】
【０００３】
【特許文献１】中国特許出願公開第１０９４２９８００号明細書
【発明の概要】
【発明が解決しようとする課題】
【０００４】
本発明は制御変数法に基づく漢方薬培養装置を提供し、既存技術にある上記の欠点を解消することを目的とする。
【課題を解決するための手段】
【０００５】
上記の目的を実現するため、本発明は以下の技術プランを提供する：制御変数法に基づく漢方薬培養装置であり、制御変数法に基づく漢方薬培養装置はケースを含む。
【０００６】
前記ケースの左右側面には培養箱が対称的にスライドできるように連結され、前記培養箱の下側面には台座が固定的に設置され、前記ケースの中には三つの液体加えパイプが設置され、前記液体加えパイプの左側が上方へ伸びて外部空間と連通しており、前記ケースの中には前記液体加えパイプと連通しているスライド板空間が設置され、前記スライド板空間の上側壁には外部空間と連通している引き動かし空間が設置され、前記スライド板空間と前記引き動かし空間との間には前記液体加えパイプを開けることができる液体注ぎ装置が設置され、前記液体加えパイプの中にはそれぞれウォーターポンプが設置され、前記ウォーターポンプの右側には連結パイプが連結され、前記連結パイプの左側壁には伸縮できる伸縮ホースが連結され、前記伸縮ホースの左側には収納空間が設置され、前記収納空間の右側壁には第二モーターが固定的に設置され、前記第二モーターの左側には前記収納空間の左側壁と回転できるように連結されたモーター親ねじが連結され、前記モーター親ねじにはねじ山ブロックがねじ山によって連結され、前記ねじ山ブロックの中には前記伸縮ホースと連結された移動パイプが回転できるように連結され、前記移動パイプが前記伸縮ホースと固定的に連結され、前記移動パイプの中には前記伸縮ホースと連通している散布空間が設置され、前記散布空間の下側壁には水が出ることができるノズルが設置され、前記移動パイプの外周にはまた第一ギヤが固定的に設置された。
【０００７】
前記収納空間の下側壁には小穴が設置され、前記小穴の下側壁には駆動チャンバが設置され、前記駆動チャンバの中には前記移動パイプを駆動できる駆動装置が設置され、前記ケースの中には中空軸が回転できるように連結され、前記中空軸の下側が前記台座の上側面と回転できるように連結され、前記中空軸の中には前記ケースを駆動して回転させることができる回転装置が設置され、前記培養箱の中にはそれぞれ前記収納空間と連通できる連通空間が設置され、前記連通空間の片側側壁には置き空間が連通しており、前記置き空間の中には漢方薬を培養できる培養装置が設置された。
【０００８】
上記の技術プランに基づいて、前記ケースの外周には環状空間が上下に対称的に設置され、前記環状空間の中には前記培養箱と固定的に連結されたＴ型スライドブロックが左右対称的にスライドできるように連結された。
【０００９】
上記の技術プランに基づいて、前記液体注ぎ装置は止め板と、大ばねと、引き動かしブロックとによって構成され、前記止めいたが前記スライド空間とスライドできるように連結され、前記止め板は三つの前記液体加えパイプを閉鎖でき、前記止め板と前記スライド板空間との間には大ばねが連結され、前記止め板の上側面には前記引き動かし空間とスライドできるように連結された引き動かしブロックが固定的に設置された。
【００１０】
上記の技術プランに基づいて、前記駆動装置は第一モーターと、動力軸と、第二ギヤと、第一ベベルギヤとを含み、前記第一モーターが前記駆動チャンバの右側壁と固定的に連結され、前記第一モーターの左側には動力軸が連結され、前記動力軸の左側には前記第一ギヤと噛み合うことができる第二ギヤが固定され、前記動力軸の中端には第一ベベルギヤが固定的に設置された。
【００１１】
上記の技術プランに基づいて、前記回転装置は縦軸と、電磁空間と、第一電磁石と、第二電磁石と、電磁ばねと、第二ベベルギヤとを含み、前記縦軸が前記中空軸とスライドできるように連結され、前記縦軸の左側には電磁空間が設置され、前記電磁空間の下側には前記縦軸と固定的に連結された第一電磁石がスライドできるように連結され、前記電磁空間の上側壁には第二電磁石が固定的に連結され、前記第二電磁石と前記第一電磁石との間には電磁ばねが連結され、前記縦軸の上側には前記第一ベベルギヤと噛み合うことができる第二ベベルギヤが固定的に設置された。
【００１２】
上記の技術プランに基づいて、前記培養装置は引き動かし板と、位置制限空間と、位置制限ブロックと、換気空間とを含み、前記引き動かし板が前記貯蔵空間とスライドできるように連結され、前記置き空間の下側壁には位置制限空間が設置され、前記位置制限空間の中には前記引き動かし板と固定的に連結された位置制限ブロックがスライドできるように連結され、前記置き空間の上側壁には換気できる換気空間が左右対称的に設置された。
【００１３】
上記の技術プランに基づいて、前記置き空間の上側壁には電球が固定的に設置され、それによって漢方薬を照明する時に前記電球をつけることができる。
【００１４】
上記の技術プランに基づいて、前記台座の下側面の前後左右には移動できる四つの輪が設置され、装置を移動する時に前記ケースを推し動かせばよい。
【発明の効果】
【００１５】
本発明の有益な効果は：本装置は制御変数法に基づき、異なる栄養液又は水を加えて漢方薬を培養することによって、異なる栄養液は漢方薬に与える作用を観察でき、同時にライトをつける又は消すことによって、灯光は漢方薬の成長に与える作用も観察できる。
【図面の簡単な説明】
【００１６】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の制御変数法に基づく漢方薬培養装置の全体全断面の正面構造略図
【図２】図２は本発明の図１の中のＡのところの部分拡大略図
【図３】図３は本発明の図１の中のＢのところの部分拡大略図
【図４】図４は本発明の図１の中のＣのところの部分拡大略図
【図５】図５は本発明の図１の中のＤ―Ｄ方向の断面図
【発明を実施するための形態】
【００１８】
本説明書に開示したすべての特徴、または開示したすべての方法または過程中のステップは、互いに排斥する特徴と／またはステップ以外に、いずれもあらゆる方式で組み合わせることができる。
【００１９】
本説明書（いかなる追加の特許請求項と摘要と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２０】
図１〜５を参考し、本発明の実施例は：制御変数法に基づく漢方薬培養装置であり、制御変数法に基づく漢方薬培養装置はケース２１を含み、前記ケース２１の左右側面には培養箱３０が対称的にスライドできるように連結され、前記培養箱３０の下側面には台座２９が固定的に設置され、前記ケース２１の中には三つの液体加えパイプ３７が設置され、前記液体加えパイプ３７の左側が上方へ伸びて外部空間と連通しており、前記ケース２１の中には前記液体加えパイプ３７と連通しているスライド板空間５８が設置され、前記スライド板空間５８の上側壁には外部空間と連通している引き動かし空間５９が設置され、前記スライド板空間５８と前記引き動かし空間５９との間には前記液体加えパイプ３７を開けることができる液体注ぎ装置１０１が設置され、前記液体加えパイプ３７の中にはそれぞれウォーターポンプ３８が設置され、前記ウォーターポンプ３８の右側には連結パイプ３９が連結され、前記連結パイプ３９の左側壁には伸縮できる伸縮ホース４６が連結され、前記伸縮ホース４６の左側には収納空間４１が設置され、前記収納空間４１の右側壁には第二モーター４５が固定的に設置され、前記第二モーター４５の左側には前記収納空間４１の左側壁と回転できるように連結されたモーター親ねじ４２が連結され、前記モーター親ねじ４２にはねじ山ブロック６１がねじ山によって連結され、前記ねじ山ブロック６１の中には前記伸縮ホース４６と連結された移動パイプ４９が回転できるように連結され、前記移動パイプ４９が前記伸縮ホース４６と固定的に連結され、前記移動パイプ４９の中には前記伸縮ホース４６と連通している散布空間４３が設置され、前記散布空間４３の下側壁には水が出ることができるノズル４８が設置され、前記移動パイプ４９の外周にはまた第一ギヤ４４が固定的に設置され、前記収納空間４１の下側壁には小穴４７が設置され、前記小穴４７の下側壁には駆動チャンバ６０が設置され、前記駆動チャンバ６０の中には前記移動パイプ４９を駆動できる駆動装置１０２が設置され、前記ケース２１の中には中空軸２４が回転できるように連結され、前記中空軸２４の下側が前記台座２９の上側面と回転できるように連結され、前記中空軸２４の中には前記ケース２１を駆動して回転させることができる回転装置１０３が設置され、前記培養箱３０の中にはそれぞれ前記収納空間４１と連通できる連通空間４０が設置され、前記連通空間４０の片側側壁には置き空間３５が連通しており、前記置き空間３５の中には漢方薬を培養できる培養装置１０４が設置された。
【００２１】
また、実施例の中には、前記ケース２１の外周には環状空間２７が上下に対称的に設置され、前記環状空間２７の中には前記培養箱３０と固定的に連結されたＴ型スライドブロック２８が左右対称的にスライドできるように連結された。
【００２２】
また、実施例の中には、前記液体注ぎ装置１０１は前記スライド板空間５８の中にスライドできるように取り付けられた止め板５５を含み、前記止め板５５は三つの前記液体加えパイプ３７を閉鎖でき、前記止め板５５と前記スライド板空間５８との間には大ばね５７が連結され、前記止め板５５の上側面には前記引き動かし空間５９とスライドできるように連結された引き動かしブロック５６が固定的に設置され、それによって栄養液を加える時、前記引き動かしブロック５６を右方へ引き動かし、それによって前記止め板５５を右方へ移動連動させ、前記液体加えパイプ３７を開ける。
【００２３】
また、実施例の中には、前記駆動装置１０２は前記駆動チャンバ６０の右側壁に固定的に取り付けられた第一モーター２２を含み、前記第一モーター２２の左側には動力軸２５が連結され、前記動力軸２５の左側には前記第一ギヤ４４と噛み合うことができる第二ギヤ２６が固定され、前記動力軸２５の中端には第一ベベルギヤ２３が固定的に設置され、それによって前記第一ギヤ４４が前記第二ギヤ２６と噛み合うと、前記第一モーター２２を時計回り方向と反時計回りに回転させて始動し、それによって前記第二ギヤ２６と、前記第一ギヤ４４と、前記移動パイプ４９とを回転連動させ、それによって前記ノズル４８の散布角度を調整できる。
【００２４】
また、実施例の中には、前記回転装置１０３は前記中空軸２４とスライドできるように連結された縦軸５４を含み、前記縦軸５４の左側には電磁空間５２が設置され、前記電磁空間５２の下側には前記縦軸５４と固定的に連結された第一電磁石５０がスライドできるように連結され、前記電磁空間５２の上側壁には第二電磁石５３が固定的に連結され、前記第二電磁石５３と前記第一電磁石５０との間には電磁ばね５１が連結され、前記縦軸５４の上側には前記第一ベベルギヤ２３と噛み合うことができる第二ベベルギヤ６２が固定的に設置され、前記第二電磁石５３と前記第一電磁石５０とを通電させ、それによって前記縦軸５４を上方へ移動連動させ、それによって前記第一ベベルギヤ２３が前記第二ベベルギヤ６２と噛み合い、そして前記第一モーター２２を始動し、それによって前記第一ベベルギヤ２３と、前記第二ベベルギヤ６２と、前記縦軸５４と、前記駆動チャンバ６０と、前記中空軸２４との回転によって、前記ケース２１を連動させて回転させ始める。
【００２５】
また、実施例の中には、前記培養装置１０４は前記置き空間３５の中にスライドできるように取付けられた引き動かし板３２を含み、前記置き空間３５の下側壁には位置制限空間３１が設置され、前記位置制限空間３１の中には前記引き動かし板３２と固定的に連結された位置制限ブロック３３がスライドできるように連結され、前記置き空間３５の上側壁には換気できる換気空間３６が左右対称的に設置され、それによって前記引き動かし板３２を引き開け、漢方薬を取り出す又は置くことができる。
【００２６】
また、実施例の中には、前記置き空間３５の上側壁には電球３４が固定的に設置され、それによって漢方薬を照明する時に前記電球３４をつけることができる。
【００２７】
また、実施例の中には、前記台座２９の下側面の前後左右には移動できる四つの輪６３が設置され、装置を移動する時に前記ケース２１を推し動かせばよい。
【００２８】
使用の時、栄養液を加える時、引き動かしブロック５６を右方へ引き動かし、それによって止め板５５を右方へ移動連動させ、液体加えパイプ３７を開け、液体加えパイプ３７の中に異なる栄養液又は水を加え、その後に漢方薬を流れ込む時、第二モーター４５を始動し、それによってモーター親ねじ４２を回転連動させ、それによってねじ山ブロック６１と、移動パイプ４９とを左方へ移動連動させ、それによって第一ギヤ４４が第二ギヤ２６と噛み合い、そして第一モーターを時計回り方向又は反時計回り方向に反転させて始動し、それによって第二ギヤ２６と、第一ギヤ４４と、移動パイプ４９とを回転連動させ、それによってノズル４８の散布角度を調整でき、そしてウォーターポンプ３８を始動し、ウォーターポンプ３８と対応した液体加えパイプ３７の中の栄養液又は水で漢方薬を流れ込み、もう一つの漢方薬を流れ込む時、最初に移動パイプ４９を取り戻し、そして第二電磁石５３と第一電磁石５０を通電させ、それによって縦軸５４を上方へ移動連動させ、それによって第一ベベルギヤ２３が第二ベベルギヤ６２と噛み合い、そして第一モーター２２を始動し、それによって第一ベベルギヤ２３と、第二ベベルギヤ６２と、縦軸５４と、中空軸２４との回転によって、ケース２１を回転連動させて始め、それによって収納空間４１をもう一つの連通空間４０に正対させ、そして再び漢方薬を流れ込めばよく、漢方薬を照明する時に電球３４をつけることができ、装置を移動する時にケース２１を推し動かせばよい。
【００２９】
本発明の有益な効果は：本装置は制御変数法に基づき、異なる栄養液又は水を加えて漢方薬を培養することによって、異なる栄養液は漢方薬に与える作用を観察でき、同時にライトをつける又は消すことによって、灯光は漢方薬の成長に与える作用も観察できる。
【００３０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182439.tif 000003
【図２】
2020182439.tif 000004
【図３】
2020182439.tif 000005
【図４】
2020182439.tif 000006
【図５】
2020182439.tif 000007
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
正面視で、ケースを含み、前記ケースの左右側面には培養箱が対称的にスライドできるように連結され、前記培養箱の下側面には台座が固定的に設置され、前記ケースの中には三つの液体加えパイプが設置され、前記液体加えパイプの左側が上方へ伸びて外部空間と連通しており、前記ケースの中には前記液体加えパイプと連通しているスライド板空間が設置され、前記スライド板空間の上側壁には外部空間と連通している引き動かし空間が設置され、前記スライド板空間と前記引き動かし空間との間には前記液体加えパイプを開けることができる液体注ぎ装置が設置され、前記液体加えパイプの中にはそれぞれウォーターポンプが設置され、前記ウォーターポンプの右側には連結パイプが連結され、前記連結パイプの左側壁には伸縮できる伸縮ホースが連結され、前記伸縮ホースの左側には収納空間が設置され、前記収納空間の右側壁には第二モーターが固定的に設置され、前記第二モーターの左側には前記収納空間の左側壁と回転できるように連結されたモーター親ねじが連結され、前記モーター親ねじにはねじ山ブロックがねじ山によって連結され、前記ねじ山ブロックの中には前記伸縮ホースと連結された移動パイプが回転できるように連結され、前記移動パイプが前記伸縮ホースと固定的に連結され、前記移動パイプの中には前記伸縮ホースと連通している散布空間が設置され、前記散布空間の下側壁には水が出ることができるノズルが設置され、前記移動パイプの外周にはまた第一ギヤが固定的に設置されたことを特徴とする制御変数法に基づく漢方薬培養装置。
【請求項２】
前記収納空間の下側壁には小穴が設置され、前記小穴の下側壁には駆動チャンバが設置され、前記駆動チャンバの中には前記移動パイプを駆動できる駆動装置が設置され、前記ケースの中には中空軸が回転できるように連結され、前記中空軸の下側が前記台座の上側面と回転できるように連結され、前記中空軸の中には前記ケースを駆動して回転させることができる回転装置が設置され、前記培養箱の中にはそれぞれ前記収納空間と連通できる連通空間が設置され、前記連通空間の片側側壁には置き空間が連通しており、前記置き空間の中には漢方薬を培養できる培養装置が設置されたことを特徴とする請求項１に記載の制御変数法に基づく漢方薬培養装置。
【請求項３】
前記ケースの外周には環状空間が上下に対称的に設置され、前記環状空間の中には前記培養箱と固定的に連結されたＴ型スライドブロックが左右対称的にスライドできるように連結されたことを特徴とする請求項１に記載の制御変数法に基づく漢方薬培養装置。
【請求項４】
前記液体注ぎ装置は止め板と、大ばねと、引き動かしブロックとによって構成され、前記止め板が前記スライド空間とスライドできるように連結され、前記止め板は三つの前記液体加えパイプを閉鎖でき、前記止め板と前記スライド板空間との間には大ばねが連結され、前記止め板の上側面には前記引き動かし空間とスライドできるように連結された引き動かしブロックが固定的に設置されたことを特徴とする請求項１に記載の制御変数法に基づく漢方薬培養装置。
【請求項５】
前記駆動装置は第一モーターと、動力軸と、第二ギヤと、第一ベベルギヤとを含み、前記第一モーターが前記駆動チャンバの右側壁と固定的に連結され、前記第一モーターの左側には動力軸が連結され、前記動力軸の左側には前記第一ギヤと噛み合うことができる第二ギヤが固定され、前記動力軸の中端には第一ベベルギヤが固定的に設置されたことを特徴とする請求項２に記載の制御変数法に基づく漢方薬培養装置。
【請求項６】
前記回転装置は縦軸と、電磁空間と、第一電磁石と、第二電磁石と、電磁ばねと、第二ベベルギヤとを含み、前記縦軸が前記中空軸とスライドできるように連結され、前記縦軸の左側には電磁空間が設置され、前記電磁空間の下側には前記縦軸と固定的に連結された第一電磁石がスライドできるように連結され、前記電磁空間の上側壁には第二電磁石が固定的に連結され、前記第二電磁石と前記第一電磁石との間には電磁ばねが連結され、前記縦軸の上側には前記第一ベベルギヤと噛み合うことができる第二ベベルギヤが固定的に設置されたことを特徴とする請求項５に記載の制御変数法に基づく漢方薬培養装置。
【請求項７】
前記培養装置は引き動かし板と、位置制限空間と、位置制限ブロックと、換気空間とを含み、前記引き動かし板が前記置き空間とスライドできるように連結され、前記置き空間の下側壁には位置制限空間が設置され、前記位置制限空間の中には前記引き動かし板と固定的に連結された位置制限ブロックがスライドできるように連結され、前記置き空間の上側壁には換気できる換気空間が左右対称的に設置されたことを特徴とする請求項２に記載の制御変数法に基づく漢方薬培養装置。
【請求項８】
前記置き空間の上側壁には電球が固定的に設置され、それによって漢方薬を照明する時に前記電球をつけることができることを特徴とする請求項２に記載の制御変数法に基づく漢方薬培養装置。
【請求項９】
前記台座の下側面の前後左右には移動できる四つの輪が設置され、装置を移動する時に前記ケースを推し動かせばよいことを特徴とする請求項１に記載の制御変数法に基づく漢方薬培養装置。
【手続補正２】
【補正対象書類名】明細書
【補正対象項目名】全文
【補正方法】変更
【補正の内容】
【発明の詳細な説明】
【技術分野】
【０００１】
本発明は薬品研究分野に関わり、具体的には制御変数法に基づく漢方薬培養装置である。
【背景技術】
【０００２】
目下、漢方薬の培養は比較的に古く、漢方薬の成長環境について系統的な研究がなく、科学的な方法によって異なる条件の下で、日差しと、水と、栄養液とが漢方薬の成長を促進するか又は抑制するかことを観察できない。
【先行技術文献】
【特許文献】
【０００３】
【特許文献１】中国特許出願公開第１０９４２９８００号明細書
【発明の概要】
【発明が解決しようとする課題】
【０００４】
本発明は制御変数法に基づく漢方薬培養装置を提供し、既存技術にある上記の欠点を解消することを目的とする。
【課題を解決するための手段】
【０００５】
上記の目的を実現するため、本発明は以下の技術プランを提供する：制御変数法に基づく漢方薬培養装置であり、制御変数法に基づく漢方薬培養装置はケースを含む。
【０００６】
前記ケースの左右側面には培養箱が対称的にスライドできるように連結され、前記培養箱の下側面には台座が固定的に設置され、前記ケースの中には三つの液体加えパイプが設置され、前記液体加えパイプの左側が上方へ伸びて外部空間と連通しており、前記ケースの中には前記液体加えパイプと連通しているスライド板空間が設置され、前記スライド板空間の上側壁には外部空間と連通している引き動かし空間が設置され、前記スライド板空間と前記引き動かし空間との間には前記液体加えパイプを開けることができる液体注ぎ装置が設置され、前記液体加えパイプの中にはそれぞれウォーターポンプが設置され、前記ウォーターポンプの右側には連結パイプが連結され、前記連結パイプの左側壁には伸縮できる伸縮ホースが連結され、前記伸縮ホースの左側には収納空間が設置され、前記収納空間の右側壁には第二モーターが固定的に設置され、前記第二モーターの左側には前記収納空間の左側壁と回転できるように連結されたモーター親ねじが連結され、前記モーター親ねじにはねじ山ブロックがねじ山によって連結され、前記ねじ山ブロックの中には前記伸縮ホースと連結された移動パイプが回転できるように連結され、前記移動パイプが前記伸縮ホースと固定的に連結され、前記移動パイプの中には前記伸縮ホースと連通している散布空間が設置され、前記散布空間の下側壁には水が出ることができるノズルが設置され、前記移動パイプの外周にはまた第一ギヤが固定的に設置された。
【０００７】
前記収納空間の下側壁には小穴が設置され、前記小穴の下側壁には駆動チャンバが設置され、前記駆動チャンバの中には前記移動パイプを駆動できる駆動装置が設置され、前記ケースの中には中空軸が回転できるように連結され、前記中空軸の下側が前記台座の上側面と回転できるように連結され、前記中空軸の中には前記ケースを駆動して回転させることができる回転装置が設置され、前記培養箱の中にはそれぞれ前記収納空間と連通できる連通空間が設置され、前記連通空間の片側側壁には置き空間が連通しており、前記置き空間の中には漢方薬を培養できる培養装置が設置された。
【０００８】
上記の技術プランに基づいて、前記ケースの外周には環状空間が上下に対称的に設置され、前記環状空間の中には前記培養箱と固定的に連結されたＴ型スライドブロックが左右対称的にスライドできるように連結された。
【０００９】
上記の技術プランに基づいて、前記液体注ぎ装置は止め板と、大ばねと、引き動かしブロックとによって構成され、前記止め板が前記スライド空間とスライドできるように連結され、前記止め板は三つの前記液体加えパイプを閉鎖でき、前記止め板と前記スライド板空間との間には大ばねが連結され、前記止め板の上側面には前記引き動かし空間とスライドできるように連結された引き動かしブロックが固定的に設置された。
【００１０】
上記の技術プランに基づいて、前記駆動装置は第一モーターと、動力軸と、第二ギヤと、第一ベベルギヤとを含み、前記第一モーターが前記駆動チャンバの右側壁と固定的に連結され、前記第一モーターの左側には動力軸が連結され、前記動力軸の左側には前記第一ギヤと噛み合うことができる第二ギヤが固定され、前記動力軸の中端には第一ベベルギヤが固定的に設置された。
【００１１】
上記の技術プランに基づいて、前記回転装置は縦軸と、電磁空間と、第一電磁石と、第二電磁石と、電磁ばねと、第二ベベルギヤとを含み、前記縦軸が前記中空軸とスライドできるように連結され、前記縦軸の左側には電磁空間が設置され、前記電磁空間の下側には前記縦軸と固定的に連結された第一電磁石がスライドできるように連結され、前記電磁空間の上側壁には第二電磁石が固定的に連結され、前記第二電磁石と前記第一電磁石との間には電磁ばねが連結され、前記縦軸の上側には前記第一ベベルギヤと噛み合うことができる第二ベベルギヤが固定的に設置された。
【００１２】
上記の技術プランに基づいて、前記培養装置は引き動かし板と、位置制限空間と、位置制限ブロックと、換気空間とを含み、前記引き動かし板が前記置き空間とスライドできるように連結され、前記置き空間の下側壁には位置制限空間が設置され、前記位置制限空間の中には前記引き動かし板と固定的に連結された位置制限ブロックがスライドできるように連結され、前記置き空間の上側壁には換気できる換気空間が左右対称的に設置された。
【００１３】
上記の技術プランに基づいて、前記置き空間の上側壁には電球が固定的に設置され、それによって漢方薬を照明する時に前記電球をつけることができる。
【００１４】
上記の技術プランに基づいて、前記台座の下側面の前後左右には移動できる四つの輪が設置され、装置を移動する時に前記ケースを推し動かせばよい。
【発明の効果】
【００１５】
本発明の有益な効果は：本装置は制御変数法に基づき、異なる栄養液又は水を加えて漢方薬を培養することによって、異なる栄養液は漢方薬に与える作用を観察でき、同時にライトをつける又は消すことによって、灯光は漢方薬の成長に与える作用も観察できる。
【図面の簡単な説明】
【００１６】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の制御変数法に基づく漢方薬培養装置の全体全断面の正面構造略図
【図２】図２は本発明の図１の中のＡのところの部分拡大略図
【図３】図３は本発明の図１の中のＢのところの部分拡大略図
【図４】図４は本発明の図１の中のＣのところの部分拡大略図
【図５】図５は本発明の図１の中のＤ―Ｄ方向の断面図
【発明を実施するための形態】
【００１８】
本説明書に開示したすべての特徴、または開示したすべての方法または過程中のステップは、互いに排斥する特徴と／またはステップ以外に、いずれもあらゆる方式で組み合わせることができる。
【００１９】
本説明書（いかなる追加の特許請求項と摘要と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２０】
図１〜５を参考し、本発明の実施例は：制御変数法に基づく漢方薬培養装置であり、制御変数法に基づく漢方薬培養装置はケース２１を含み、前記ケース２１の左右側面には培養箱３０が対称的にスライドできるように連結され、前記培養箱３０の下側面には台座２９が固定的に設置され、前記ケース２１の中には三つの液体加えパイプ３７が設置され、前記液体加えパイプ３７の左側が上方へ伸びて外部空間と連通しており、前記ケース２１の中には前記液体加えパイプ３７と連通しているスライド板空間５８が設置され、前記スライド板空間５８の上側壁には外部空間と連通している引き動かし空間５９が設置され、前記スライド板空間５８と前記引き動かし空間５９との間には前記液体加えパイプ３７を開けることができる液体注ぎ装置１０１が設置され、前記液体加えパイプ３７の中にはそれぞれウォーターポンプ３８が設置され、前記ウォーターポンプ３８の右側には連結パイプ３９が連結され、前記連結パイプ３９の左側壁には伸縮できる伸縮ホース４６が連結され、前記伸縮ホース４６の左側には収納空間４１が設置され、前記収納空間４１の右側壁には第二モーター４５が固定的に設置され、前記第二モーター４５の左側には前記収納空間４１の左側壁と回転できるように連結されたモーター親ねじ４２が連結され、前記モーター親ねじ４２にはねじ山ブロック６１がねじ山によって連結され、前記ねじ山ブロック６１の中には前記伸縮ホース４６と連結された移動パイプ４９が回転できるように連結され、前記移動パイプ４９が前記伸縮ホース４６と固定的に連結され、前記移動パイプ４９の中には前記伸縮ホース４６と連通している散布空間４３が設置され、前記散布空間４３の下側壁には水が出ることができるノズル４８が設置され、前記移動パイプ４９の外周にはまた第一ギヤ４４が固定的に設置され、前記収納空間４１の下側壁には小穴４７が設置され、前記小穴４７の下側壁には駆動チャンバ６０が設置され、前記駆動チャンバ６０の中には前記移動パイプ４９を駆動できる駆動装置１０２が設置され、前記ケース２１の中には中空軸２４が回転できるように連結され、前記中空軸２４の下側が前記台座２９の上側面と回転できるように連結され、前記中空軸２４の中には前記ケース２１を駆動して回転させることができる回転装置１０３が設置され、前記培養箱３０の中にはそれぞれ前記収納空間４１と連通できる連通空間４０が設置され、前記連通空間４０の片側側壁には置き空間３５が連通しており、前記置き空間３５の中には漢方薬を培養できる培養装置１０４が設置された。
【００２１】
また、実施例の中には、前記ケース２１の外周には環状空間２７が上下に対称的に設置され、前記環状空間２７の中には前記培養箱３０と固定的に連結されたＴ型スライドブロック２８が左右対称的にスライドできるように連結された。
【００２２】
また、実施例の中には、前記液体注ぎ装置１０１は前記スライド板空間５８の中にスライドできるように取り付けられた止め板５５を含み、前記止め板５５は三つの前記液体加えパイプ３７を閉鎖でき、前記止め板５５と前記スライド板空間５８との間には大ばね５７が連結され、前記止め板５５の上側面には前記引き動かし空間５９とスライドできるように連結された引き動かしブロック５６が固定的に設置され、それによって栄養液を加える時、前記引き動かしブロック５６を右方へ引き動かし、それによって前記止め板５５を右方へ移動連動させ、前記液体加えパイプ３７を開ける。
【００２３】
また、実施例の中には、前記駆動装置１０２は前記駆動チャンバ６０の右側壁に固定的に取り付けられた第一モーター２２を含み、前記第一モーター２２の左側には動力軸２５が連結され、前記動力軸２５の左側には前記第一ギヤ４４と噛み合うことができる第二ギヤ２６が固定され、前記動力軸２５の中端には第一ベベルギヤ２３が固定的に設置され、それによって前記第一ギヤ４４が前記第二ギヤ２６と噛み合うと、前記第一モーター２２を時計回り方向と反時計回りに回転させて始動し、それによって前記第二ギヤ２６と、前記第一ギヤ４４と、前記移動パイプ４９とを回転連動させ、それによって前記ノズル４８の散布角度を調整できる。
【００２４】
また、実施例の中には、前記回転装置１０３は前記中空軸２４とスライドできるように連結された縦軸５４を含み、前記縦軸５４の左側には電磁空間５２が設置され、前記電磁空間５２の下側には前記縦軸５４と固定的に連結された第一電磁石５０がスライドできるように連結され、前記電磁空間５２の上側壁には第二電磁石５３が固定的に連結され、前記第二電磁石５３と前記第一電磁石５０との間には電磁ばね５１が連結され、前記縦軸５４の上側には前記第一ベベルギヤ２３と噛み合うことができる第二ベベルギヤ６２が固定的に設置され、前記第二電磁石５３と前記第一電磁石５０とを通電させ、それによって前記縦軸５４を上方へ移動連動させ、それによって前記第一ベベルギヤ２３が前記第二ベベルギヤ６２と噛み合い、そして前記第一モーター２２を始動し、それによって前記第一ベベルギヤ２３と、前記第二ベベルギヤ６２と、前記縦軸５４と、前記駆動チャンバ６０と、前記中空軸２４との回転によって、前記ケース２１を連動させて回転させ始める。
【００２５】
また、実施例の中には、前記培養装置１０４は前記置き空間３５の中にスライドできるように取付けられた引き動かし板３２を含み、前記置き空間３５の下側壁には位置制限空間３１が設置され、前記位置制限空間３１の中には前記引き動かし板３２と固定的に連結された位置制限ブロック３３がスライドできるように連結され、前記置き空間３５の上側壁には換気できる換気空間３６が左右対称的に設置され、それによって前記引き動かし板３２を引き開け、漢方薬を取り出す又は置くことができる。
【００２６】
また、実施例の中には、前記置き空間３５の上側壁には電球３４が固定的に設置され、それによって漢方薬を照明する時に前記電球３４をつけることができる。
【００２７】
また、実施例の中には、前記台座２９の下側面の前後左右には移動できる四つの輪６３が設置され、装置を移動する時に前記ケース２１を推し動かせばよい。
【００２８】
使用の時、栄養液を加える時、引き動かしブロック５６を右方へ引き動かし、それによって止め板５５を右方へ移動連動させ、液体加えパイプ３７を開け、液体加えパイプ３７の中に異なる栄養液又は水を加え、その後に漢方薬を流れ込む時、第二モーター４５を始動し、それによってモーター親ねじ４２を回転連動させ、それによってねじ山ブロック６１と、移動パイプ４９とを左方へ移動連動させ、それによって第一ギヤ４４が第二ギヤ２６と噛み合い、そして第一モーターを時計回り方向又は反時計回り方向に反転させて始動し、それによって第二ギヤ２６と、第一ギヤ４４と、移動パイプ４９とを回転連動させ、それによってノズル４８の散布角度を調整でき、そしてウォーターポンプ３８を始動し、ウォーターポンプ３８と対応した液体加えパイプ３７の中の栄養液又は水で漢方薬を流れ込み、もう一つの漢方薬を流れ込む時、最初に移動パイプ４９を取り戻し、そして第二電磁石５３と第一電磁石５０を通電させ、それによって縦軸５４を上方へ移動連動させ、それによって第一ベベルギヤ２３が第二ベベルギヤ６２と噛み合い、そして第一モーター２２を始動し、それによって第一ベベルギヤ２３と、第二ベベルギヤ６２と、縦軸５４と、中空軸２４との回転によって、ケース２１を回転連動させて始め、それによって収納空間４１をもう一つの連通空間４０に正対させ、そして再び漢方薬を流れ込めばよく、漢方薬を照明する時に電球３４をつけることができ、装置を移動する時にケース２１を推し動かせばよい。
【００２９】
本発明の有益な効果は：本装置は制御変数法に基づき、異なる栄養液又は水を加えて漢方薬を培養することによって、異なる栄養液は漢方薬に与える作用を観察でき、同時にライトをつける又は消すことによって、灯光は漢方薬の成長に与える作用も観察できる。
【００３０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。